(57)【要約】【課題】  グリル構造のファンガードのリブ間における異物の侵入を防止する。【解決手段】  送風ファンの空気吹出し口側に配置されるとともに、外周囲に外枠４があり、かつ該外枠４の間に、上記送風ファンの回転軸を中心として半径方向に所定の間隔を隔てて同心状に配置された環状リブ７，７・・・と上記送風ファンの回転軸を中心とする中央部付近から上記外枠４側に向かって放射状に延びる放射状リブ６，６・・・とを備えてなる送風ユニットのファンガード３において、円周方向に略横長となる開口部Ａを形成する上記環状リブ７，７・・・の中央付近に局所的な厚肉部８，８・・・を設け、それによって異物が侵入しにくくなるようにした。【選択図】        図２
2005315526.tif 000002
【特許請求の範囲】
【請求項１】
送風ファンの空気吹出し口側に配置されるとともに、外周囲に外枠（４）があり、かつ該外枠（４）の間に、上記送風ファンの回転軸を中心として半径方向に所定の間隔を隔てて同心状に配置された環状リブ（７），（７）・・・と上記送風ファンの回転軸を中心とする中央部付近から上記外枠（４）側に向かって放射状に延びる放射状リブ（６），（６）・・・とを備えてなる送風ユニットのファンガード（３）において、円周方向に略横長となる開口部（Ａ）を形成する上記環状リブ（７），（７）・・・の中央付近に局所的な厚肉部（８），（８）・・・を設けたことを特徴とする送風ユニットのファンガード。
【請求項２】
局所的な厚肉部（８），（８）・・・を、環状リブ（７），（７）・・・の内側または外側の何れか一方側だけに設けたことを特徴とする請求項１記載の送風ユニットのファンガード。
【請求項３】
局所的な厚肉部（８），（８）・・・を、略横長の開口部（Ａ）の開口面積が、所定面積以上に大きい部分に限定して設けたことを特徴とする請求項１又は２記載の送風ユニットのファンガード。
【請求項４】
送風ファンの空気吹出し口側に配置されるとともに、外周囲に外枠（４）があり、かつ該外枠（４）の間に、水平リブと垂直リブとを備えてなる送風ユニットのファンガード（３）において、略横長の開口部（Ａ）を形成する水平リブの中央付近に局所的な厚肉部（８），（８）・・・を設けたことを特徴とする送風ユニットのファンガード。
【請求項５】
略横長の開口部（Ａ）の長辺側を構成するリブの上側と下側では、厚肉部（８），（８）・・・の位置を相互にずらして設けたことを特徴とする請求項１，２，３又は４記載の送風ユニットのファンガード。
【請求項６】
外枠（４）内の中央部には、閉塞板（５）が設けられていることを特徴とする請求項１，２，３，４又は５記載の送風ユニットのファンガード。
【発明の詳細な説明】
【技術分野】
【０００１】
本願発明は、異物の侵入を防止するようにした送風ユニットのファンガードの構造に関するものである。
【背景技術】
【０００２】
送風ユニットの一例である空気調和機の室外機１は、例えば図１１に示されるように、一般に箱型の本体ケーシング２の内部に、熱交換器やプロペラファンを備えている一方、同本体ケーシング２のファンガイド（ベルマウス）を介した前面側空気吹出口外方にはファン防護部材としてのグリル構造のファンガード３が設けられている。そして、上記プロペラファンが回転すると、背面側空気吸込口から吸い込まれて熱交換器を通過した空気は、当該プロペラファン、ベルマウスから上記空気吹出口、ファンガード３を介して当該室外機１の前方へ吹き出される。
【０００３】
このようにファンガード３を有していると、例えば本体ケーシング２の外部との関係において異物の侵入が防止され、誤った指等の挿入事故の防止、内部のプロペラファンの防護が図られるとともに、同プロペラファンが外部から見えにくくなり、本体ケーシング全体としてもエクステリア性に秀れ、デザイン的にも調和がとれた構造の室外機となる。
【０００４】
上記ファンガード３は、例えば図１２に示されるように、上記本体ケーシング２前面側の空気吹出口の外周囲に設けられた略四角形状の外枠４と、中心位置がファンの回転軸と略一致する状態で当該ファンガード３の中央部を覆う略四角形状の閉塞板５と、該閉塞板５の外周より半径方向外側（外枠）に向かって放射状に延びる複数本の放射状リブ６，６・・・と、該複数本の放射状リブ６，６・・・に一体化され、ファンの回転軸を中心として同心円状に半径方向に所定の間隔を置いて配設される複数本の環状リブ７，７・・・とから構成されている。
【０００５】
そして、これら複数本の放射状リブ６，６・・・、複数本の環状リブ７，７・・・は、例えば相互に交差する関係で合成樹脂により一体成型されている。
【０００６】
ところで、この種のファンガード３に対する要求機能のひとつとして、例えば図１３に示すように、リブ６，６・・・、７，７・・・の間から誤って指１０を入れたり、物１０が入り込むのを防止できる強度がある。所定寸法の物体を所定の力でファンガード３のセル空間部に押し付けたときに、リブ７，７・・・間の間隔が拡がって物体１０が入り込むのを防ぐ強度については、上述のような環状リブ７，７・・・と放射状リブ６，６・・・とからなるファンガード３の場合、放射状リブ６，６・・・の間隔が最も広くなる最外周部側外枠４付近における強度が設計の基準値になる。
【０００７】
しかし、この種のファンガード３では、中心部（閉塞板５）に近づくにつれて放射状リブ６，６・・・の間隔が狭くなるため、通風抵抗が増大し、騒音の上昇をもたらしていた。
【０００８】
そこで、これを解決するための従来例として、例えばファンガード最外周部でのリブ間隔を基準とし、内周側にいくにつれてリブ間隔が密になり、基準の２倍のリブ間隔となる位置より内側では放射状リブを間引くことにより、内周側部分で過剰に通風抵抗が上昇するのを抑制するようにしたものがある（例えば特許文献１，２参照）。
【０００９】
また、上記環状リブ７，７・・・と放射状リブ６，６・・・の断面形状が一定であるとすれば、セル空間部の開口面積が最大となる最外周部で指等が最も入りやすくなるため、指入れ防止強度は、同最外周部で所定の強度を確保できるようにリブ断面やリブ間隔などの寸法が決定されるが、このような寸法決定の仕方をすると、最外周部より内側部分では過剰強度となってしまう。
【００１０】
そこで、このような問題を解決するため、例えば環状リブの肉厚を外側に行くほど厚くし、セル空間面積が小さくなり、強度的に楽になる内側ほどリブの肉厚を薄く形成する場合もある。
【００１１】
一方、上述した空気調和機の室外機のように屋外に設置される送風ユニットのファンガードの場合、リブの間からの異物侵入を防止する機能に加えて、ファンガードがたわんで変形し、ファンの羽根後縁に接触し、ファンが破損することを防止する機能も必要である。このようなファンガードのたわみの原因には、例えばファンガードにボール等の物体が衝突してファンガード中央部がたわむ場合や、ファン回転軸が鉛直方向上向きであって冬季にファンガードの上に雪が積もり、雪の重みでファンガードがたわむ場合などがある。
【００１２】
上述の環状リブ７，７・・・と放射状リブ６，６・・・からなるファンガード３の場合、ファンガード３自体は外枠４部分で機器本体に固定されており、ファンガード３の中央部に荷重が加わった場合に、その変形を支えるのは、環状リブ７，７・・・よりも放射状リブ６，６・・・の受け持つ割合が大きくなる。したがって、放射状リブ６，６・・・の本数、配置の仕方や断面形状などが、たわみ強度に与える影響度が大きい。
【００１３】
したがって、放射状リブ６，６・・・の本数や配置の仕方、断面形状を変更するのは難しい。
【００１４】
【特許文献１】特開２００２−１９５６１０号公報（第１−４頁、図１−８）
【００１５】
【特許文献２】特開平０５−２４８６６２号公報（第１−８頁、図１−１１）
【発明の開示】
【発明が解決しようとする課題】
【００１６】
以上のように、放射状リブと環状リブよりなるグリル構造のファンガードにおいて、環状リブの間からの異物の侵入を防止するためには、環状リブ相互の間隔を密にする必要がある。しかし、そのようにすると、セル部の開口面積が減少するために通風抵抗、圧損が上昇し、送風騒音およびファンモーターの入力が増大してしまうという問題が生じる。
【００１７】
他方、内側で放射状リブを間引いたファンガードの場合、通風抵抗の上昇は抑制できるが、中心部側においてファンガードのたわみ強度が低下し、送風ファンの羽根とファンガードとの接触による破損事故が生じるなどの問題が生じる。
【００１８】
そこで、本願発明は、このような事情に鑑み、上記横長となる開口部を形成するリブの開口部中央位置付近に局所的な厚肉部を設けることにより、同リブ間の広がり抑制強度と軸方向の荷重負荷によるファンガードのたわみ防止強度との両方の強度を共に確保した上で、通風抵抗を大きくすることなく、異物の侵入を防止できるようにした送風ユニットのファンガードを提供することを目的とするものである。
【課題を解決するための手段】
【００１９】
本願発明は、上記の目的を達成するために、次のような課題解決手段を備えて構成されている。
（１）  第１の課題解決手段
この発明の第１の課題解決手段は、送風ファンの空気吹出し口側に配置されるとともに、外周囲に外枠４があり、かつ該外枠４の間に、上記送風ファンの回転軸を中心として半径方向に所定の間隔を隔てて同心状に配置された環状リブ７，７・・・と上記送風ファンの回転軸を中心とする中央部付近から上記外枠４側に向かって放射状に延びる放射状リブ６，６・・・とを備えてなる送風ユニットのファンガード３において、円周方向に略横長となる開口部Ａを形成する上記環状リブ７，７・・・の中央付近に局所的な厚肉部８，８・・・を設けたことを特徴とするものである。
【００２０】
このような構成の場合、  異物１０が侵入しようとした時、上記環状リブ７，７・・・部分に厚肉部８，８・・・があることにより、先ず異物１０が開口部Ａで制止されるとともに、その後、同開口部Ａの左右いずれか一方側に移動する。
【００２１】
そして、同左右の何れか一方側に移動するにつれて放射状リブ６，６・・・とのつけ根に近づき、開口部Ａが拡がりづらくなるため、結局異物１０の侵入を抑制することができる。
【００２２】
もちろん、その場合、上記厚肉部８，８・・・だけ開口部Ａの開口面積は減少するが、完全なリブを余分に設ける場合よりも減少分は小さく、通風抵抗および圧損の増大を十分に抑制できる。
【００２３】
したがって、送風音やファンモータの入力を増大させなくて済む。
【００２４】
また、環状リブ７，７・・・や放射状リブ６，６・・・の本数、配置、断面形状を全く変更しないので、たわみ強度を全く低下させることもない。
（２）  第２の課題解決手段
この発明の第２の課題解決手段は、上記第１の課題解決手段の構成において、局所的な厚肉部８，８・・・を、環状リブ７，７・・・の内側または外側の何れか一方側だけに設けたことを特徴としている。
【００２５】
このような構成によれば、可及的に開口部Ａの開口面積を縮小することなく、異物１０の侵入防止効果を発揮させることができる。そして、送風抵抗および圧損も小さい。
【００２６】
もちろん、十分なたわみ強度も確保できる。
（３）  第３の課題解決手段
この発明の第３の課題解決手段は、上記第１又は第２の課題解決手段の構成において、局所的な厚肉部８，８・・・を、略横長の開口部Ａの開口面積が、所定面積以上に大きい部分に限定して設けたことを特徴としている。
【００２７】
このような構成によれば、例えば本来開口部Ａの開口面積が小さく、異物１０の侵入の可能性のない内周側には厚肉部８，８・・・を設けなくて済むから、加工も簡単で通風抵抗の上昇度合も小さい。
（４）  第４の課題解決手段
この発明の第４の課題解決手段は、送風ファンの空気吹出し口側に配置されるとともに、外周囲に外枠４があり、かつ該外枠４の間に、水平リブと垂直リブとを備えてなる送風ユニットのファンガード３において、略横長の開口部Ａを形成する水平リブの中央付近に局所的な厚肉部８，８・・・を設けたことを特徴としている。
【００２８】
このような構成によれば、異物１０が侵入しようとした時、長辺側の水平リブ部分に厚肉部８，８・・・があることにより、異物１０が一旦制止された後、長方形状の開口部Ａの左右いずれか一方側に移動する。そして、同左右の何れか一方側に移動するにつれて垂直リブとのつけ根に近づき、開口部Ａの間隔が拡がりづらくなるため、異物１０の侵入を抑制することができる。
【００２９】
もちろん、この場合にも、厚肉部８，８・・・を設けた分だけ開口部Ａの開口面積は減少するが、完全なリブを余分に設けるよりも減少分は小さく、通風抵抗および圧損の増大を抑制できる。したがって、送風音やファンモータの入力を増大させなくて済む。
【００３０】
また、垂直リブや水平リブを間引く場合と異なり、それらの本数や太さを変更しなくてもよいので、開口部Ａおよびファンガード全体の必要なたわみ強度を確保することができる。
（５）  第５の課題解決手段
この発明の第５の課題解決手段は、上記第１，第２，第３又は第４の課題解決手段の構成において、略横長の開口部Ａの長辺側を構成するリブの上側と下側では、厚肉部８，８・・・の位置を相互にずらして設けたことを特徴としている。
【００３１】
このような構成によれば、異物１０が侵入しようとした時、長辺側の環状又は水平リブ部分に厚肉部８，８・・・があることにより、異物１０が横長の開口部Ａの左右いずれか一方側に移動するが、その際の移動が、より生じやすくなる。
【００３２】
（６）  第６の課題解決手段
この発明の第６の課題解決手段は、上記第１，第２，第３，第４又は第５の課題解決手段の構成において、外枠４内の中央部には、閉塞板５が設けられていることを特徴としている。
【００３３】
このような構成の場合、上記第１，第２又は第３の課題解決手段の放射状リブ６，６・・・は、同閉塞板５の外周から外枠４側半径方向に放射状に延びることになる。
【００３４】
また上記第４の課題解決手段の水平リブおよび垂直リブの中央部付近のものは、それぞれ同閉塞板５の外周から外枠４側に延びることになる。
【発明の効果】
【００３５】
以上の結果、本願発明によると、リブ間からの異物の侵入を防止するリブ広がり抑制強度と軸方向の荷重負荷によるファンガードのたわみ防止強度との両方の強度を十分に確保した上で、ファン吹出し気流の通風抵抗の上昇を抑制し、騒音の低減とファン入力の低減とを図ることができる。
【発明を実施するための最良の形態】
【００３６】
（最良の実施の形態１）
先ず図１〜図３は、本願発明の最良の実施の形態１に係る送風ユニットのファンガードの構成を示すものである。
【００３７】
本実施の形態の場合にも、送風ユニットとしては、前述した従来例のものと同様の前面吹きタイプの空気調和機用室外機が採用されている。
【００３８】
図１中において、符号３は、その空気調和機用室外機の前面側空気吹出口部分に設けられるファンガードである。
【００３９】
このファンガード３は、同空気吹出口の外周囲に設けられる略四角形状の外枠４と、中心位置がファンの回転軸と略一致する状態で当該ファンガード３の中央部を覆う略四角形状の閉塞板５と、該閉塞板５の外周より半径方向外側の外枠４に向かい、かつ送風ファンの回転方向に放物線を描いて放射状に延びる複数本の放射状リブ６，６・・・と、該複数本の放射状リブ６，６・・・に一体化され、送風ファンの回転軸を中心として同心円状に半径方向に所定の間隔を置いて配設された複数本の環状リブ７，７・・・とから構成されている。放射状リブ６，６・・・は、以上の結果、閉塞板５側から外枠４側に向かうに従って相互の間隔が広くなり、それらと２本の環状リブ７，７との間に形成されるセル空間Ａ，Ａ・・・の円周方向に横長の開口部の面積は、外枠４に近くなるほど大きくなる。
【００４０】
そして、これら多数の円周方向に横長のセル空間Ａを形成する複数本の放射状リブ６，６・・・と環状リブ７，７・・・は、例えば相互に交差する関係で、合成樹脂により、図示のようなグリル構造に一体成型されている。
【００４１】
ところで、本実施の形態の場合、このようなファンガード３の構成において、上記円周方向に横長となる個々のセル空間（グリル部の各単位開口部）Ａの長辺を構成する環状リブ７，７・・・の中央部付近には、図２に示すように、各々所定の直径の局所的な円形の厚肉部８，８・・・を設けている。
【００４２】
このような構成の場合、例えば図３に示すように、石ころや指等の異物１０が侵入しようとした時、各々セル空間Ａ，Ａ・・・の環状リブ７，７・・・の中央部分に円形の厚肉部８，８・・・があることにより、セル空間Ａ，Ａ・・・の中央部の間隔が狭く形成され、それによって実質的に拡がり方向に対する強度（抑制力）が高くなり、同異物１０が当該セル空間Ａ，Ａ・・・の左右いずれか一方側に移動するようになる（厚肉部８，８の左側に入ると左側へ、右側に入ると右側へ）。そして、そのように左右何れか一方側に移動するにつれて、当該環状リブ７，７を固定している放射状リブ６，６・・・とのつけ根に近づき、セル空間Ａが確実に拡がりづらくなる。
【００４３】
そのため、空気吹出口内部への異物１０の侵入を抑制することができる。もちろん、上記厚肉部８，８・・・の半円状の突出分だけセル空間Ａの開口面積は減少するが、完全なリブを余分に設ける場合よりも、その減少分は小さく、通風抵抗および圧損の増大を十分に抑制することができる。
【００４４】
したがって、従来のように、送風騒音やファンモータの入力を増大させなくて済む。
【００４５】
また、放射状リブ６，６・・・や環状リブ７，７・・・を間引く場合と異なり、それらの本数や太さ、配置状態を変更しなくてよいので、セル空間Ａおよびファンガード３全体の必要なたわみ強度を確保することができる。
【００４６】
したがって、例えば本体ケーシングの上面側に空気の吹出口を設け、送風ファンのファン軸を鉛直方向に設置した上方吹きタイプの空気調和機用室外機等の送風ユニットのファンガードとしても有効に対応することができる。
【００４７】
なお、以上の場合、上記環状リブ７，７・・・の厚肉部８，８・・・は、必ずしも上述した環状リブ７，７・・・の全てに設ける必要はなく、例えば図１に示すごとく、相互に隣合う放射状リブ６，６の間隔によって規定されるセル空間Ａ部の開口幅（円周方向の幅）が所定寸法以上に大きく、環状リブ７，７間の間隔が広がりやすい半径方向中間部付近から外枠４付近までの環状リブ７，７・・・に限定して設けるようにしている。
【００４８】
このような構成によれば、本来セル空間Ａの円周方向の開口幅が小さく、異物１０の侵入の可能性のない内周部側には厚肉部８を設けなくて済むから、加工も簡単でコストもかさまず、通風抵抗の上昇度合も小さい。
【００４９】
（最良の実施の形態２）
次に図４および図５は、本願発明の最良の実施の形態２に係る送風ユニットのファンガードの構成を示している。
【００５０】
この実施の形態のファンガード３は、上記最良の実施の形態１の構成における環状リブ７，７・・・の厚肉部８，８・・・を、セル空間部Ａの長辺側を構成する環状リブ７と短辺側を構成する環状リブ７側とで、その中央部付近の位置を相互に左側又は右側に積極的にずらして設けたことを特徴としている。
【００５１】
この結果、厚肉部８，８・・・は、中心部側から外枠４側方向に次第に相互の間隔が大きくなる各放射状リブ６，６・・・の間にあって半径方向に配列される厚肉部８，８・・・が、全体として千鳥状に配設されることになる。
【００５２】
このような構成によれば、異物１０が侵入しようとした時、各セル空間Ａ，Ａ・・・の環状リブ７，７・・・中央部分の左右両側に交互に所定寸法位置ずれた厚肉部８，８・・・があることにより、例えば図４の上方側セル空間Ａでは図３の場合と同様の作用が、下方側セル空間Ａでは、図５のような作用が、より効果的に生じるようになる。その結果、より異物１０が侵入しにくくなる。
【００５３】
（最良の実施の形態３）
次に図６は、本願発明の最良の実施の形態３に係る送風ユニットのファンガードの構成を示している。
【００５４】
この実施の形態のファンガード３は上記最良の実施の形態１の構成における環状リブ７，７・・・の厚肉部８，８・・・を、半径方向の複数本の環状リブ７，７・・・の１本置きに設けたことを特徴としている。
【００５５】
このような構成によっても、上記最良の実施の形態１のものと略同様の作用を得ることができる一方、通風抵抗の上昇量が約１／２になる。
【００５６】
（最良の実施の形態４）
次に図７は、本願発明の最良の実施の形態４に係る送風ユニットのファンガードの構成を示している。
【００５７】
この実施の形態のファンガード３は、上記最良の実施の形態１の構成における環状リブ７，７・・・の厚肉部８，８・・・の形状を、円形のものから６角形のものに変更したことを特徴としている。
【００５８】
要するに厚肉部８，８・・・の形状は、上述のように異物１０の侵入防止作用を果たせるものであれば、上述のような円形のものに限らず図示のような６角形状その他の図示しない各種多角形状のものでもよい。
【００５９】
（最良の実施の形態５）
次に図８および図９は、本願発明の最良の実施の形態５に係る送風ユニットのファンガードの構成を示している。
【００６０】
この実施の形態のファンガード３は、上記最良の実施の形態１の構成における環状リブ７，７・・・の厚肉部８，８・・・を、円形ではなく、半円形状のもの９，９・・・に変更して、各環状リブ７，７・・・の半径方向外周面側（又は内周面側でもよい）にのみ突出させて設けたことを特徴としている。
【００６１】
このような構成によれば、実質的には、上述の実施の形態３（図６）のものと同様に通風抵抗の上昇量を約１／２に低減しながら、最良の実施の形態１のものと略同様の異物１０の侵入防止作用を得ることができる。
【００６２】
（最良の実施の形態６）
次に図１０は、本願発明の最良の実施の形態６に係る送風ユニットのファンガードの構成を示している。
【００６３】
この実施の形態のファンガード３は、上記最良の実施の形態１の構成における放射状リブ６，６・・・を曲線形状（放物線形状）から直線形状のものに変更し、その上で、同様に環状リブ７，７・・・の中央付近に局所的な厚肉部８，８・・・を設けたことを特徴としている。
【００６４】
このような構成によっても、上記最良の実施の形態１のものと全く同様の異物１０の侵入防止作用を実現することとができる。
【００６５】
この場合において、もちろん図４のような交互に厚肉部８，８・・・の位置をずらす構成、また図６のように環状リブ７，７・・・の１つ置きに厚肉部８，８・・・を設ける構成、図７、図９のような形状の厚肉部とする構成等、種々の変形、アレンジが可能である。
【００６６】
（その他の最良の実施の形態）
以上の各最良の実施の形態では、その何れの場合にあっても、放射状のリブ６，６・・・と環状のリブ７，７・・・により構成される場合について説明したが、本願発明は、例えば複数本の垂直リブ（縦方向のリブ）と複数本の水平リブ（横方向のリブ）とにより、各セル空間部Ａ，Ａ・・・が横長の略長方形状に形成される場合の水平リブの中央付近に対しても全く同様に適用することができる。
【００６７】
そして、その場合にも、上述した各実施の形態の構成を全く同様に採用して、全く同様の作用効果を実現することができる。
【図面の簡単な説明】
【００６８】
【図１】本願発明の最良の実施の形態１に係る送風ユニットのファンガードの全体構造を示す正面図である。
【図２】同ファンガードの要部（図１のＳ部）の構造を示す拡大正面図である。
【図３】同ファンガードの要部の作用を示す拡大正面図である。
【図４】本願発明の最良の実施の形態２に係るファンガードの要部の構成を示す拡大正面図である。
【図５】同ファンガードの要部の作用を示す拡大正面図である。
【図６】本願発明の最良の実施の形態３に係るファンガードの要部の構成を示す拡大正面図である。
【図７】本願発明の最良の実施の形態４に係るファンガードの要部の構成を示す拡大正面図である。
【図８】本願発明の最良の実施の形態５に係るファンガードの全体的な構成を示す拡大正面図である。
【図９】同ファンガードの要部（図８のＳ部）の構成を示す拡大正面図である。
【図１０】本願発明の最良の実施の形態６に係るファンガードの要部の構成を示す拡大正面図である。
【図１１】従来の送風ユニットの全体的な構造を示す正面図である。
【図１２】同送風ユニットのファンガードの全体構造を示す断面図である。
【図１３】同ファンガードの要部（図１２のＳ部）の拡大正面図である。
【符号の説明】
【００６９】
１は空気調和機用室外機、２は本体ケーシング、３はファンガード、６は複数本の放射状リブ、７は複数本の環状リブ、８は厚肉部、Ａはセル空間である。
【図１】
2005315526.tif 000003
【図２】
2005315526.tif 000004
【図３】
2005315526.tif 000005
【図４】
2005315526.tif 000006
【図５】
2005315526.tif 000007
【図６】
2005315526.tif 000008
【図７】
2005315526.tif 000009
【図８】
2005315526.tif 000010
【図９】
2005315526.tif 000011
【図１０】
2005315526.tif 000012
【図１１】
2005315526.tif 000013
【図１２】
2005315526.tif 000014
【図１３】
2005315526.tif 000015